(57)【特許請求の範囲】
【請求項１】
取付面に設けた埋め込み孔に挿入され、下部に設けられた外鍔部を前記埋め込み孔の周りの取付下面に当接させて取付けられる器具本体と、前記器具本体の外周下部に下端近傍で固定され、上端部を外方へ弾性的に突出するように設けられる複数の取付バネとを備えた埋め込み型照明器具において、
前記取付バネの接近する部位に、取付バネを係止しつつ取付バネを器具本体に近接させた位置に維持するととともに、この係止状態で前記取付バネより外方へ突出し、前記埋め込み孔への挿入時に、前記埋め込み孔の周面に当接して前記取付バネを係止状態から解除する、取付バネ係止バネを設けたことを特徴とする埋め込み型照明器具。
【請求項２】
前記取付バネ係止バネは、前記取付バネの下部に係合することを特徴とする請求項１記載の埋め込み型照明器具。
【請求項３】
前記取付バネには離脱用凹部が設けられ、前記取付バネ係止バネには、この離脱用凹部と相対する位置に離脱用凸部が設けられ、前記離脱用凹部に前記離脱用凸部を係合することにより、前記取付バネの接近する部位に、前記取付バネを係止しつつ前記取付バネを前記器具本体に近接させた位置に維持することを特徴とする請求項１または請求項２に記載の埋め込み型照明器具。
【請求項４】
前記離脱用凹部は、前記取付バネの係止状態において、前記器具本体側に曲率をもって曲げるように構成したことを特徴とする請求項３記載の埋め込み型照明器具。
【請求項５】
前記取付バネ係止バネは、２つの弾性片を有するものであることを特徴とする請求項１乃至請求項３のいずれかに記載の埋め込み型照明器具。
【請求項６】
前記２つの弾性片の先端部の各々を連結部で連結したことを特徴とする請求項５記載の埋め込み型照明器具。
【請求項７】
前記取付バネは、略長方形状の切り欠き部を設け、前記取付バネ係止バネを前記切り欠き部に挿入することにより、前記取付バネの接近する部位に、前記取付バネを係止しつつ前記取付バネを前記器具本体に近接させた位置に維持することを特徴とする請求項１または請求項２に記載の埋め込み型照明器具。
【発明の詳細な説明】
【０００１】
【発明の属する利用分野】
本発明は埋め込み型照明器具に関する。
【０００２】
【従来の技術】
本発明に係る従来例の模式的な側面図を図１３に示す。
【０００３】
この埋め込み型照明器具は、取付面（例えば天井面）１１に設けた埋め込み孔に挿入され、下部に設けられた外鍔部２１を埋め込み孔の周りの取付下面に当接させて取付けられる器具本体１と、可撓性を有する２つの取付バネ２、２とを備えてなる。この取付バネ２は、取付バネ２の下端部が器具本体１の外周下部に固定され、取付バネ２の上端部が器具本体１の側面に設けた係止用溝２２に上方側から係止することにより、上端部と下端部との間に湾曲部が器具本体１の外方へ向かって形成される。前記湾曲部は、天井面１１に設けた埋め込み孔に入れる際に、埋め込み孔の周面に当接して器具本体１の内方に向かって押圧され、これにより、取付バネ２の上端部が上方に押し上げられ、取付バネ２が係止用溝２２から外れる。係止用溝２２から外れたあとは、前記湾曲部を形成していた取付バネ２が元の直線状に戻り、天井面１１の裏面を押圧する。この押圧力によって器具本体１を天井面１１に取り付けることができる。図１３中、３は光源に電力を供給するための安定器、１２は本体フレームを示す。特開平８−１２４４１９号公報などにも同様のものが開示されている。
【０００４】
【発明が解決しようとする課題】
しかし、上記従来例に示す様な照明器具では、以下に示す様な第１の問題点が生じてしまう。
【０００５】
図１３に示す様な薄い天井面１１に施工する場合、図１３に示すように、器具本体１を斜めの姿勢にして埋め込み孔に挿入しようとすると、天井面１１を斜めにしたときに天井面１１に近くなる側に形成された前記湾曲部は、埋め込み孔の周面に当接しない場合が生じてしまい、その為、取付バネ２の上端部が係止用溝２２から外れなくなってしまい、該器具の天井面１１への取付けが不完全になってしまう。
【０００６】
また、以下に示す様な第２の問題点が生じてしまう。
天井面１１の厚さが厚くなると、天井面１１に設けた埋め込み孔の周面によって取付バネ２が器具本体１側に押圧されることになり、例えば取付バネ２が垂直状に近い状態になり、前記周面から下方向に滑り易くなってしまう。その為、照明器具が自身の重量によって下方側にずれる恐れが大きくなってしまう。
【０００７】
また、以下に示す様な第３の問題点が生じてしまう。
取付バネ２の上端部と下端部との間に外方へ向かって形成された前記湾曲部は、外鍔部２１よりも上側（取付け方向側）にあるため、例えば、該器具輸送時などに生じる強い振動などにより、該湾曲部に圧力がかかることがあり、その圧力により取付バネ２が器具本体１側に押圧されてしまい、該器具の施工前に取付バネ２の係止状態が解除されてしまう。
【０００８】
本発明は前記記全ての問題点に鑑みてなされたもので、その目的とするところは、天井面（特に、埋め込み孔の周面）を構成する天井材の薄さや厚さにも対応して施工可能で、該器具の輸送時などの生じる強い振動に対しては、取付バネの係止状態が保持可能な埋め込み型照明器具を提供することである。
【０００９】
【課題を解決するための手段】
前記問題点を解決するために、請求項１記載の発明によれば、取付面に設けた埋め込み孔に挿入され、下部に設けられた外鍔部を埋め込み孔の周りの取付下面に当接させて取付けられる器具本体と、器具本体の外周下部に下端近傍で固定され、上端部を外方へ弾性的に突出するように設けられる複数の取付バネとを備えた埋め込み型照明器具において、取付バネの接近する部位に、取付バネを係止しつつ取付バネを器具本体に近接させた位置に維持するととともに、この係止状態で取付バネより外方へ突出し、埋め込み孔への挿入時に、埋め込み孔の周面に当接して取付バネを係止状態から解除する、取付バネ係止バネを設けたことを特徴とする。
【００１０】
請求項２記載の発明によれば、請求項１記載の埋め込み型照明器具において、取付バネ係止バネは取付バネの下部に係合することを特徴とする。
【００１１】
請求項３記載の発明によれば、請求項１または請求項２に記載の埋め込み型照明器具において、取付バネには離脱用凹部が設けられ、取付バネ係止バネには、この離脱用凹部と相対する位置に離脱用凸部が設けられ、離脱用凹部に離脱用凸部を係合することにより、取付バネの接近する部位に、取付バネを係止しつつ取付バネを器具本体に近接させた位置に維持することを特徴とする。
【００１２】
請求項４記載の発明によれば、請求項３記載の埋め込み型照明器具において、離脱用凹部は、取付バネの係止状態で、器具本体側に曲率をもって曲げるように構成したことを特徴とする。
【００１３】
請求項５記載の発明によれば、請求項１乃至請求項３のいずれかに記載の埋め込み型照明器具において、取付バネ係止バネは２つの弾性片を有するものであることを特徴とする。
【００１４】
請求項６記載の発明によれば、請求項５記載の埋め込み型照明器具において、２つの弾性片の先端部の各々を連結部で連結したことを特徴とする。
【００１５】
請求項７記載の発明によれば、請求項１または請求項２に記載の埋め込み型照明器具において、取付バネは、略長方形状の切り欠き部を設け、取付バネ係止バネを切り欠き部に挿入することにより、取付バネの接近する部位に、取付バネを係止しつつ取付バネを器具本体に近接させた位置に維持することを特徴とする。
【００１６】
【実施の形態】
（実施の形態１）
本発明に係る第１の実施の形態の模式的な側面図を図１に、本実施の形態に用いる取付バネ２の斜視図を図２に示す。
【００１７】
図１３に示した従来例と異なる点は、器具本体１の取付構造であり、その他の従来例と同一構成には同一符号を付すことにより説明を省略する。
【００１８】
器具本体１の取付構造は、器具本体１の側面に設けられた取付部２３に取付バネ２を固定するための固定部９と、固定部９の下端に連接して設けられ、且つ、その上端部を外方へ弾性的に突出するように設けられ、外方へ広がる力により器具本体１を相対的に押し上げる取付バネ２と、取付バネ２の接近する部位で取付バネ２を係止しつつ、取付バネ２を器具本体１に近接させた位置に維持するとともに、この係止状態で取付バネ２より外方へ突出し、器具本体１の埋め込み孔への挿入時に、埋め込み孔の周面に当接して取付バネ２を係止状態から解除する取付バネ係止バネ８とからなる。また、取付バネ２は、その略中央部近傍に離脱用凹部７が設けられている。この離脱用凹部７と相対する位置であって取付バネ係止バネ８の略端部には離脱用凸部６が設けられている。そして、離脱用凹部７に離脱用凸部６を係合することにより、取付バネ２は器具本体１の側面近傍で係止状態になる。
【００１９】
以上のように、取付バネ２の係止状態において、取付バネ係止バネ８が、器具本体１の外鍔部２１近傍にて取付バネ２より外方へ突出しているので、天井面１１を構成する天井材が薄い場合に、図１にも示すように器具本体１を埋め込み孔へと斜めに挿入されても、図３に示すように、天井面１１に設けた埋め込み孔の周面に取付バネ係止バネ８が確実に当接するので、図２に示すように、取付バネ２の係止状態が確実に解除することができる。
【００２０】
また、天井面１１を構成する天井材が厚い場合には、上述のように、取付バネ２が垂直状に近い状態になってしまうので、取付バネ２による器具本体１の押し上げ力が低下するが、取付バネ係止バネ８が、天井面１１に設けた埋め込み孔の周面を押すために、器具本体１の取付保持力を補うことができる。（図４参照）また、取付バネ２の係止状態において、取付バネ係止バネ８が、器具本体１の外鍔部２１近傍にて取付バネ２より外方へ突出し、取付バネ係止バネ８より外鍔部２１の周縁の方が突出しているので、例えば該器具輸送時などに生じる強い振動などが生じても、取付バネ２の係止機構に圧力がかかりにくく、該器具の施工前に取付バネ２の係止状態が解除されてしまう、という不都合を低減できる。（図３参照）
（実施の形態２）
本発明に係る第２の実施の形態の斜視図を図５に示す。
【００２１】
図２に示した第１の実施の形態と異なる点は、取付バネ係止バネ８の２つの弾性片の先端部の各々を連結部１３で連結したことであり、その他の第１の実施の形態と同一構成には同一符号を付すことにより説明を省略する。
【００２２】
以上のように構成することにより、一方の該弾性片が係止解除の動作を始めると同時に、連結部１３を介して他方の該弾性片も連動するので、より確実に、取付バネ２の係止状態が解除できる。
【００２３】
（実施の形態３）
本発明に係る第３の実施の形態の斜視図を図６に示す。
【００２４】
図２に示した第１の実施の形態と異なる点は、取付バネ２に設けた離脱用凹部７の形状を、取付バネ２の係止状態において、器具本体１側に曲率をもって曲げるように構成したことであり、その他の第１の実施の形態と同一構成には同一符号を付すことにより説明を省略する。
【００２５】
以上のように構成することにより、器具本体１の取り外しを行う場合、図７に示すように、天井面１１に設けた埋め込み孔の周面の縁部に離脱用凹部７が食い込むことを防止できるので、スムーズな器具本体１の取り外し作業が実現できる。なお、本実施の形態に示したような構成を有していない場合には、図８に示すように、天井面１１に設けた埋め込み孔の周面の縁部に離脱用凹部７が食い込んでしまい、器具本体１の取り外し作業が困難になったり、天井面１１の破損が生じたりしてしまう。
【００２６】
（実施の形態４）
本発明に係る第４の実施の形態の斜視図を図９に示す。
【００２７】
図２に示した第１の実施の形態と異なる点は、取付バネ２の下方に略長方形状の切り欠き部１４を設け、固定部９に一端が連結した取付バネ係止バネ８を構成する、略上方へ向って曲折した弾性片１５を、該切り欠き部１４に挿入することにより、取付バネ２の係止状態となるように構成したことであり、その他の第１の実施の形態と同一構成には同一符号を付すことにより説明を省略する。
【００２８】
なお、図９では、弾性片１５は略上方へ向って曲折するように構成したが、図１０に示すように、弾性片１５は略下方に向って曲折するように構成しても構わない。
【００２９】
（実施の形態５）
本発明に係る第５の実施の形態の斜視図を図１１に示す。
【００３０】
図２に示した第１の実施の形態と異なる点は、図２に示す構成では、取付バネ係止バネ８を固定部９の上端部から下方へ向って曲折するように構成したが、本実施の形態では、取付バネ係止バネ８の一端を固定部９に連結し、略上方へ向って曲折するように構成したことであり、その他の第１の実施の形態と同一構成には同一符号を付すことにより説明を省略する。
【００３１】
（実施の形態６）
本発明に係る第６の実施の形態の斜視図を図１２に示す。
【００３２】
図１１に示した第５の実施の形態と異なる点は、取付バネ係止バネ８の２つの弾性片の先端部の各々を連結部１７で連結したことであり、その他の第５の実施の形態と同一構成には同一符号を付すことにより説明を省略する。
【００３３】
以上のように構成することにより、一方の該弾性片が係止解除の動作を始めると同時に、連結部１７を介して他方の該弾性片も連動するので、より確実に、取付バネ２の係止状態が解除できる。
【００３４】
なお、本発明に係る実施の形態は前述のものに限らず、本発明の作用効果を奏するものであれば、前記各実施の形態を適宜組み合わせてたものであっても良い。
【００３５】
【発明の効果】
請求項１乃至３、請求項５、請求項７に記載の発明によれば、天井面（特に、埋め込み孔の周面）を構成する天井材の薄さや厚さにも対応して施工可能で、該器具の輸送時などの生じる強い振動に対しては、取付バネの係止状態が保持可能な埋め込み型照明器具を提供できる。
【００３６】
請求項４記載の発明によれば、請求項３記載の発明の効果に加えて、器具本体の取り外しを行う場合、天井面に設けた埋め込み孔の周面の縁部に離脱用凹部が食い込むことを防止できるので、スムーズな器具本体の取り外し作業が実現可能な埋め込み型照明器具を提供できる。
【００３７】
請求項６記載の発明によれば、請求項５記載の発明の効果に加えて、一方の該弾性片が係止解除の動作を始めると同時に、連結部を介して他方の該弾性片も連動するので、より確実に、取付バネの係止状態が解除可能な埋め込み型照明器具を提供できる。
【図面の簡単な説明】
【図１】本発明に係る第１の実施の形態の模式的な側面図を示す。
【図２】本発明に係る第１の実施の形態に用いる取付バネ２も斜視図を示す。
【図３】本発明に係る第１の実施の形態の別の作用効果を示す要部断面図である。
【図４】本発明に係る第１の実施の形態の別の作用効果を示す要部断面図である。
【図５】本発明に係る第２の実施の形態の斜視図を示す。
【図６】本発明に係る第３の実施の形態の斜視図を示す。
【図７】本発明に係る第３の実施の形態の作用を示す断面図である。
【図８】本発明に係る第３の実施の形態に対する従来例の作用を示す断面図である。
【図９】本発明に係る第４の実施の形態の斜視図を示す。
【図１０】本発明に係る第４の実施の形態の別の斜視図を示す。
【図１１】本発明に係る第５の実施の形態の斜視図を示す。
【図１２】本発明に係る第６の実施の形態の斜視図を示す。
【図１３】本発明に係る従来例の模式的な側面図を示す。
【符号の説明】
１    器具本体
２    取付バネ
８    取付バネ係止バネ
２１  外鍔部
【図１】
0004154809.tif 000002
【図２】
0004154809.tif 000003
【図３】
0004154809.tif 000004
【図４】
0004154809.tif 000005
【図５】
0004154809.tif 000006
【図６】
0004154809.tif 000007
【図７】
0004154809.tif 000008
【図８】
0004154809.tif 000009
【図９】
0004154809.tif 000010
【図１０】
0004154809.tif 000011
【図１１】
0004154809.tif 000012
【図１２】
0004154809.tif 000013
【図１３】
0004154809.tif 000014